(57)【特許請求の範囲】
【請求項１】
上枠と下枠と左右の縦枠を有し、前記下枠の長手方向端面をシーラーを介して縦枠の前記下枠連結部分に突き当てて連結した建具枠であって、
前記下枠は、その室内側縦板に水受け部を有すると共に、その水受け部に溜まった水を下枠内部を通して室外側に排水する排水経路を有し、
前記シーラーは、前記下枠の長手方向端面と前記縦枠の下枠連結部分との間に介在する本体シーラーと、前記下枠の室内側縦板よりも室内側に張り出した張り出しシーラーを有し、
前記水受け部の長手方向端部を、前記張り出しシーラーで閉塞したことを特徴とする建具枠。
【請求項２】
縦枠の下枠連結部の室内側端部は、下枠の室内側縦板と室内側外側方向にほぼ同一位置で、この室内側端部よりも室内側寄りに水受け部が位置している請求項１記載の建具枠。
【請求項３】
シーラーは、その張り出しシーラーの下部分が本体シーラーと分離し、前記張り出しシーラーの上部分が本体シーラーと連続し、
前記張り出しシーラーの下部分を水受け部の底部に貼着して上部分で長手方向端部を閉塞している請求項１又２記載の建具枠。
【請求項４】
水受け部の底部における長手方向端部分に斜めのシーラー受け部を設け、このシーラー受け部に張り出しシーラーの下部分を貼着して長手方向端部を閉塞した請求項３記載の建具枠。
【請求項５】
水受け部の底部における長手方向端部分を斜め上向きに切り起して斜めのシーラー受けとした請求項４記載の建具枠。
【請求項６】
水受け部の底部における長手方向端部分に受け台を取付け、その受け台の斜面をシーラー受け部とした請求項４に記載の建具枠。
【請求項７】
請求項１〜６のいずれか１項に記載の建具枠に建具体を装着したことを特徴とする建具。
【発明の詳細な説明】
【技術分野】
【０００１】
本発明は、引き違い窓の窓枠、片引き窓の窓枠、開き窓の窓枠等の建物躯体の開口部に用いる建具の建具枠及び、その建具枠に障子などの建具体を装着した建具に関する。
【背景技術】
【０００２】
従来から、上枠と下枠と左右の縦枠を連結した建具枠に建具体を装着した建具、例えば、窓枠に障子を開き位置と閉じ位置とに亘って、上枠、下枠の長手方向に沿って移動自在に装着した片引き窓が種々提案されている。
これらの建具枠は建物躯体の開口部に取付けられるが、その建具枠の室内側面に生じた結露水などの水が下枠まで流れ落ち、その下枠から建物躯体に流れて建物躯体を傷めることがある。
【０００３】
このことを解消するために、建具枠の室内側面に生じた結露水などの水を下枠内部を通して室外側に排水するようにした建具枠が種々提案されている。
例えば、特許文献１に開示されたように、下枠の室内側立上り片に水返し片を設けて水受け部とし、この水受け部に溜まった結露水などの水が室内側の孔を通して下枠内部に流れ、室外側の孔から下枠の室外側に排水されるようにした建具枠が知られている。
【特許文献１】実開昭６３−９６１８９号公報
【発明の開示】
【発明が解決しようとする課題】
【０００４】
前述した従来の建具枠であると、下枠の水受け部に溜まった結露水などの水がその水受け部の長手方向に流れて長手方向端部から流れ落ちることがあるので、その結露水などの水が建物躯体に流れることを確実に防止できない。
【０００５】
本発明の目的は、建具枠の室内側面に生じた結露水などの水が下枠の水受け部に溜まり、その水が水受け部の長手方向端部から流れ落ちることがなく、下枠の室外側に確実に排水できるようにした建具枠及び建具とすることである。
【課題を解決するための手段】
【０００６】
本発明の建具枠は、上枠と下枠と左右の縦枠を有し、前記下枠の長手方向端面をシーラーを介して前記縦枠の下枠連結部分に突き当てて連結した建具枠であって、
前記下枠は、その室内側縦板に水受け部を有すると共に、その水受け部に溜まった水を下枠内部を通して室外側に排水する排水経路を有し、
前記シーラーは、前記下枠の長手方向端面と前記縦枠の下枠連結部分との間に介在する本体シーラーと、前記下枠の室内側縦板よりも室内側に張り出した張り出しシーラーを有し、
前記水受け部の長手方向端部を、前記張り出しシーラーで閉塞したことを特徴とする建具枠である。
【０００７】
本発明の建具枠においては、縦枠の下枠連結部の室内側端部は、下枠の室内側縦板と室内側外側方向にほぼ同一位置で、この室内側端部よりも室内側寄りに水受け部が位置しているようにできる。
このようにすれば、縦枠の下枠連結部の見込み寸法が小さく、縦枠の材料費を削減できる。
【０００８】
本発明の建具枠においては、シーラーは、その張り出しシーラーの下部分が本体シーラーと分離し、前記張り出しシーラーの上部分が本体シーラーと連続し、
前記張り出しシーラーの下部分を水受け部の底部に貼着して上部分で長手方向端部を閉塞しているようにできる。
このようにすれば、張り出しシーラーの下部分を持ち上げて水受け部の底部に貼着することで、その水受け部の長手方向端部を張り出しシーラーの上部分で確実に閉塞できるし、その作業が容易である。
【０００９】
本発明の建具枠においては、水受け部の底部における長手方向端部分に斜めのシーラー受け部を設け、このシーラー受け部に張り出しシーラーの下部分を貼着して長手方向端部を閉塞することができる。
このようにすれば、水受け部に溜まった水の水圧で張り出しシーラーが倒れることがなく、水受け部に多量の水が溜まった場合でも長手方向端部から流れ落ちることを防止できる。
【００１０】
本発明の建具枠においては、水受け部の底部における長手方向端部分を斜め上向きに切り起して斜めのシーラー受けとすることができる。
このようにすれば、特別な部品を必要としないから部品点数を少なくできる。
【００１１】
本発明の建具枠においては、水受け部の底部における長手方向端部分に受け台を取付け、その受け台の斜面をシーラー受け部とすることができる。
このようにすれば、水受け部を加工せずにシーラー受け部を形成することができる。
【００１２】
本発明の建具は、請求項１〜６のいずれか１項に記載の建具枠に建具体を装着したことを特徴とする建具である。
【発明の効果】
【００１３】
本発明の建具枠によれば、建具枠の室内側面に生じた結露水などの水が下枠の水受け部に溜まり、その水が水受け部の長手方向端部から流れ落ちることがなく、排水経路によって下枠の室外側に確実に排水できる。
しかも、縦枠の下枠連結部と下枠の長手方向端面との間を水密するシーラーを利用して水受け部の長手方向端部を閉塞しているので、そのために部品点数が増加することがない。
【発明を実施するための最良の形態】
【００１４】
図１に示すように、窓枠１に内障子２と外障子３を引き違いに装着して引き違い窓としてある。
前記窓枠１は、上枠１０と下枠１１と左右の縦枠１２を方形状に連結してある。例えば、左右の縦枠１２の上部、下部に上枠１０、下枠１１の長手方向端面を後述するシーラーを介して突き当て、ビスで連結してある。
前記窓枠１が本発明の建具枠で、内障子２、外障子３が本発明の建具体で、前記引き違い窓が本発明の建具である。
なお、建具としては前述の引き違い窓に限ることはなく、種々のものとすることができる。例えば、片引き窓、開き窓などとすることができる。
【００１５】
図２と図３に示すように、前記下枠１１は、その室内側縦板１３に水受け部２０を有し、この水受け部２０は上向きに開口した溝形状で長手方向全長に連続している。その水受け部２０に溜まった結露水などの水は前記室内側縦板１３に形成した流入孔１４で下枠１１の空洞部１１ａ内に流れ込み、室外側縦板１５に形成した排水孔１６から流出して下枠１１の室外側に排出され、その流入孔１４、空洞部１１ａ、排水孔１６が排水経路を構成している。
【００１６】
図３と図１の拡大部分に示すように、下枠１１の長手方向端面１１ｂを縦枠１２の下枠連結部分１２ａにシーラー３０を介して突き当て、ビス３１で固着して縦枠１２の下枠連結部分１２ａと下枠１１を連結している。この下枠連結部１２ａの室内側端部１２ｂは前記下枠１１の室内側縦板１３と室内外側方向にほぼ同一位置である。
前記シーラー３０は縦枠１２の下枠連結部分１２ａと下枠１１の長手方向端面１１ｂとの間に介在する本体シーラー３２と、この本体シーラー３２の室内側端面３２ａ（下枠１１の室内側縦板１３）よりも室内側に張り出している張り出しシーラー３３を有している。
そして、前記張り出しシーラー３３で前記水受け部２０の長手方向端部を閉塞して、この水受け部２０に溜まった結露水などの水が長手方向端部から流れ落ちないようにしている。
【００１７】
このようであるから、窓枠１の室内側面に生じた結露水などの水は下枠１１の水受け部２０に溜まる。
この水受け部２０に溜まった水は、その水受け部２０の長手方向端部から流れ落ちることなく、流入孔１４、空洞部１１ａ、排水孔１６を通って下枠１１の室外側に確実に排水される。
したがって、水受け部２０に溜まった結露水などの水が建物躯体に流れることがない。
【００１８】
また、縦枠１２と下枠１１の連結部を水密するシーラー３０に設けた張り出しシーラー３３を利用して水受け部２０の長手方向端部を閉塞しているので、部品点数が増加することがない。
【００１９】
また、縦枠１２の下枠連結部分１２ａは、その室内側端面１２ｂが下枠１１の室内側縦板１３とほぼ同一位置であるので、その縦枠１２の下枠連結部分１２ａの見込み寸法（室内外側方向の寸法）が小さく、縦枠１２の材料費を削減できる。
すなわち、縦枠１２の下枠連結部分２１ａを下枠１１の室内側縦板１３よりも室内側に突出し、その突出した部分で水受け部２０の長手方向端部を閉塞することが可能であるが、このようにすると縦枠１２の下枠連結部分の見込み寸法が大きくなるので、縦枠１２の材料費が高くなる。
【００２０】
次に、前記シーラー３０で水受け部１４の長手方向端部を閉塞する部分を詳細に説明する。
図４に示すように、シーラー３０の本体シーラー３２は下枠１１の室内側縦板１３から室外寄り部分の長手方向端面のほぼ全面が接する形状である。
例えば、下枠１１は、室内側縦板１３と室外側縦板１５が上横板１７ａ、下横板１７ｂで一体的に連結されて空洞部１１ａを有し、その上横板１７ａに内・外障子２，３用のレール１８ａ，１８ｂが上向きに一体的に設けてあると共に、下横板１７ｂに躯体取付片１９が一体的に設けてある。
前記本体シーラー３２は、室内側縦板１３、上横板１７ａ、室外側縦板１５、下横板１７ｂ、躯体取付片１９の各端面に亘って接するようにしてある。
【００２１】
前記シーラー３０の張り出しシーラー３３は水受け部２０の長手方向端面に接すると共に、水受け部２０の室内側部よりも室内側に突出し、かつその水受け部２０の底部よりも下方に突出する大きさである。
例えば、張り出しシーラー３３の見込み寸法Ｌ１、高さ寸法Ｈ１は水受け部２０の見込み寸法Ｌ２、高さ寸法Ｈ２と比べてＬ１＞Ｌ２、Ｈ１＞Ｈ２の関係で、上端面３３ａが水受け部２０の上端部２０ａとほぼ同一高さ位置となっている。
【００２２】
前記室内側縦板１３に横向片２１が室内側に向けて一体的に設けられ、この横向片２１の室内側端部に縦向片２２が一体的に設けてあり、この横向片２１と縦向片２２と室内側縦板１３で上向きの溝を形成して前述の水受け部２０としてある。
そして、シーラー３０の張り出しシーラー３３の上端面３３ａは縦向片２２の上端面（水受け部２０の上端部２０ａ）と略同一高さで、下端部３３ｂは横板２１（水受け部２０の底部）よりも下方に位置して縦向片２２の下端面と略同一高さで、室内側端面３３ｅは縦向片２２よりも室内側に突出するようにしてある。
【００２３】
前記シーラー３０の張り出しシーラー３３の下部分３３ｃと本体シーラー３２が離れ、その張り出しシーラー３３の上部分３３ｄのみが本体シーラー３２と連続している。例えば、本体シーラー３２の室内側端面３２ａに沿って切り込み（スリット）３４を入れて下部分３３ｃを本体シーラー３２と分離している。
【００２４】
前記シーラー３０の一側面３０ａに接着剤などの貼着部分を設け、その一側面３０ａにおける本体シーラー３２部分を縦枠１２の下枠連結部分１２ａに貼着する。
これによって、シーラー３０の張り出しシーラー３３は縦枠１２の下枠連結部分１２ａの室内側端部１２ｂ、下枠１１の室内側縦板１３よりも室内側に張り出す。
この状態で、縦枠１２の孔１２ｃからビス３１をシーラー３０の孔３０ｂを挿通して下枠１１のビスホール１１ｃに螺合して縦枠１２の下枠連結部分１２ａに下枠１１の長手方向端面１１ｂをシーラー３０の本体シーラー３２を介して突き当てて縦枠１２と下枠１１を連結する。
【００２５】
これにより、図５に示すようにシーラー３０の張り出しシーラ３３が縦枠１２の下枠連結部分１２ａの室内側端部１２ｂ、下枠１１の室内側縦板１３よりも室内側に張り出して水受け部２０の長手方向端部と対峙する。
この状態で、シーラー３０の張り出しシーラー３３の下部分３３ｃを水受け部２０の底部（横片２１）よりも上まで持ち上げ、その下部分３３ｃを図６に示すように水受け部２０の内側面、例えば横向片２１の上面と縦向片２２の室外側面に貼着し、その張り出しシーラ３３の上部分３３ｄを縦向きの姿勢とし、その上部分３３ｄで水受け部２０の長手方向端部を閉塞して水受け部２０に溜まった結露水などの水が長手方向端部から流れ落ちて建物躯体４に流れないようにする。
【００２６】
次に、窓枠１の取付けについて説明する。
図２に示すように、上枠１０は上向きの躯体取付片１０ａと室内側に向かう取付片１０ｂを有し、下枠１１の室内側縦板１３の上端部が室内側に向けて折曲して取付片１３ａとしてある。
前記縦枠１２は外向きの躯体取付片１２ｄと室内側に向かう取付片１２ｅを有している。
前記各躯体取付片１０ａ，１９，１２ｄよりも室内側部分が建物躯体４の開口部５内に挿入され、その各躯体取付片１０ａ，１９，１２ｄを建物躯体４の室外側面に固着して取付けられる。
前記各取付片１０ｂ，１３ａ，１２ｅには額縁６がそれぞれ固着してある。
【００２７】
前述の下枠１１の取付片１３ａと額縁６との間は水密材で水密されて結露水などが浸入しないようにしてあるが、その水密が不十分な場合などには結露水などが浸入して室内側縦板１３まで流れ水受け部２０に溜まる。
特に、浴室用建具の場合には、結露水のみならずに湯水などが取付片１３ａと額縁６との間から浸入することがあるので、水受け部２０に多量の結露水、湯水などが溜まり、本発明のように水受け部２０の長手方向端部が閉塞されていないと、その長手方向端部から結露水、湯水などが流れ落ち易くなる。
【００２８】
次に、第２の実施の形態を説明する。
前述のように水受け部２０に多量の結露水、湯水などの水が溜まると、その水の水圧でシーラー３０の張り出しシーラー３３（上部分３３ｄ）が押されて倒れ、水が水受け部２０の長手方向端部から流れ落ちる恐れがある。
そこで、この実施の形態では水受け部２０の底部における長手方向端部分に斜めのシーラー受け部を設け、このシーラー受部に張り出しシーラー３３の下部分３３ｃを貼着して水圧で倒れないようにした。前記の斜めとは、水平に対して長手方向端部寄りが中央寄りよりも高く傾斜していることである。
【００２９】
例えば、図７と図８に示すように横向片２１の長手方向端部分２１ａを室内側縦板１３、縦向片２２と不連続とし、斜め上向きに折曲（つまり、斜めに切り起し）して斜めのシーラー受け部２３とする。つまり、水受け部２０の底部における長手方向端部分を斜め上向きに切り起して斜めのシーラー受け部２３とする。
そして、張り出しシーラー３３の下部分３３ｃをシーラー受け部２３に貼着して水圧で倒れないようにする。
この場合には、張り出しシーラー３３の下部分３３ｃの高さ寸法を大きく、上部分３３ｄの高さ寸法は小さくして本体シーラー３２と連続している部分の高さを小さくする。
【００３０】
また、図９に示すように横向片２１の長手方向端部分２１ａに受け台２４を取付け、その受け台２４の斜面２４ａをシーラー受け部２３としても良い。
【００３１】
以上の各実施の形態は上枠１０、下枠１１、左右の縦枠１２を有した建具枠について述べたが、方立を有した建具枠であっても良い。
【図面の簡単な説明】
【００３２】
【図１】引き違い窓の概略内観図である。
【図２】図１の縦断面拡大詳細図である。
【図３】図１の横断面拡大詳細図である。
【図４】下枠とシーラーと縦枠下部の分解した斜視図である。
【図５】下枠と縦枠の連結部分の斜視図である。
【図６】建物躯体に取付けた状態の下枠と縦枠の連結部分の斜視図である。
【図７】第２の実施の形態を示す下枠と縦枠の連結部分の斜視図である。
【図８】図７のＡ−Ａ拡大断面図である。
【図９】受け台を用いた実施の形態の断面図である。
【符号の説明】
【００３３】
１…窓枠（建具枠）、２…内障子（建具体）、３…外障子（建具体）、１１…下枠、１１ｂ…長手方向端面、１２…縦枠、１２ａ…下枠連結部、１２ｂ…室内側端部、１３…室内側縦板、２０…水受け部、２１…横向片（底部）、２２…縦向片、２３…シーラー受け部、２４…受け台、３０…シーラー、３２…本体シーラー、３２ａ…室内側端面、３３…張り出しシーラー、３３ｃ…下部分、３３ｄ…上部分。
【図１】
0004852520.tif 000002
【図２】
0004852520.tif 000003
【図３】
0004852520.tif 000004
【図４】
0004852520.tif 000005
【図５】
0004852520.tif 000006
【図６】
0004852520.tif 000007
【図７】
0004852520.tif 000008
【図８】
0004852520.tif 000009
【図９】
0004852520.tif 000010